(57)【特許請求の範囲】
【請求項１】
一端が片持ち支持されて突設され、他端が開放端とされる回転軸と、
一端に第１の幅規制板が固設され他端が開放端とされるとともに、開放端および第１の幅規制板間の幅方向の外周面の一部に被係止部が形成され、かつ、上記回転軸に開放端側から嵌装して固定することにより回転力を受けて印字媒体を巻取る巻取り軸と、
第２の幅規制板、嵌合リング部および係止部が形成され、上記巻取り軸の他端側に前記嵌合リング部を嵌合して巻取られる印字媒体の位置を前記第２の幅規制板にて規制する位置決め手段と、を備え、
上記印字媒体の巻き始めの端部を上記被係止部および上記係止部にて係止することを特徴とする印字媒体の巻取り機。
【発明の詳細な説明】
【０００１】
【発明の属する技術分野】
本発明は、特に、ラベル連続体などの印字媒体に所定の情報を印字するプリンタの外部に装着して、プリンタから排出される印字媒体を巻取る印字媒体の巻取り機に関する。
【０００２】
【従来の技術】
従来から、例えば図６ないし図８に示すような巻取り機２が知られている。この巻取り機２は、プリンタ（例えばラベルプリンタ）６の外部に取付け固定プレート４にて固定・位置決めされ、前記プリンタ６にて所定の情報が印字されて排出方向Ｆに排出される、例えばラベル連続体などの印字媒体Ｌを巻取るための装置であって、巻取り軸８、ラベル押え部材１０を有する。なお、１２、１４、１６は、おのおの第１、第２、第３のガイドローラを示す。
【０００３】
巻取り軸８は、片持ち支持され、その一端（根本側）には、印字媒体Ｌの一方の側端部を規制する幅規制板１８が固設されており、他端は開放端となっている。更に、この巻取り軸８の軸方向Ｗには、印字媒体Ｌの止着用の溝２０が形成されている。また、幅規制板１８には、ラベル押え部材１０用の係合穴２１が設けられている。この巻取り軸８は、図示しない駆動源（例えば、モータ）によって正回転または逆回転されるようになっている。
【０００４】
ラベル押え部材１０は、主に図７で示すように、止着部材２２と幅規制板２４とから成り、前記巻取り軸８に対し着脱自在に設けられている。
【０００５】
この巻取り機２にて前記プリンタ６から排出された印字媒体Ｌを巻取る場合、第１、第２、第３のガイドローラ１２、１４、１６を経て印字媒体Ｌを巻取り軸８へと引き出す。そして、印字媒体Ｌの一方の側端部を巻取り軸８の根本側に固設された幅規制板１８に当接させ、止着部材２２を巻取り軸８の溝２０に係合しながら巻取り軸８と止着部材２２にて印字媒体Ｌを挟持し、止着部材２２を前記幅規制板１８に設けた係合穴２１に係合する。更に、幅規制板２４を巻取り軸８に開放端側から装着して前記止着部材２２をより巻取り軸８へ押し付けるようにしている。また、幅規制板２４は、印字媒体Ｌの他方の側端部に当接させる。そして、図示せぬ電源を投入すると、印字媒体Ｌは、巻取り軸８の幅規制板１８とラベル押え部材１０の幅規制板２４との間で規制されながら巻取り軸８に巻取られる。
【０００６】
巻取り後の印字媒体Ｌを取り外す場合は、主に図８にて示すように、幅規制板２４を巻取り軸８から外し、更に、巻取り軸８の溝２０に係合している止着部材２２を外すと、巻取られた印字媒体Ｌは止着部材２２ごと取り出せるようになっている。
【０００７】
しかしながら、このような従来の巻取り機２では、印字媒体Ｌの保持用の部品として止着部材２２を必要とし、また、この止着部材２２にて印字媒体Ｌを巻取り軸８に係合した上で、更に、幅規制板２４を装着して止着部材２２を介し印字媒体Ｌをより巻取り軸８に押し付けるようにしているので、部品の点数も多く、かつ、装着が面倒なものであった。
【０００８】
【発明が解決しようとする課題】
本発明は以上のような問題点に着目してなされたもので、巻取り軸への印字媒体の装着を容易とした印字媒体の巻取り機を提供することを課題とする。
【０００９】
【課題を解決するための手段】
上記の課題を解決するためになされた本発明の印字媒体の巻取り機は、一端が片持ち支持されて突設され、他端が開放端とされる回転軸と、一端に第１の幅規制板が固設され他端が開放端とされるとともに、開放端および第１の幅規制板間の幅方向の外周面の一部に被係止部が形成され、かつ、上記回転軸に開放端側から嵌装して固定することにより回転力を受けて印字媒体を巻取る巻取り軸と、第２の幅規制板、嵌合リング部および係止部が形成され、上記巻取り軸の他端側に前記嵌合リング部を嵌合して巻取られる印字媒体の位置を前記第２の幅規制板にて規制する位置決め手段と、を備え、上記印字媒体の巻き始めの端部を上記被係止部および上記係止部にて係止することを特徴とする。
【００１０】
【発明の実施の形態】
本発明の実施の形態による巻取り機３０を図１ないし図５に基づき説明する。なお、従来例と同様の部分には同一の符号を付すに止め、その詳述はこれを省略する。
【００１１】
図１は、本発明に係る巻取り機３０の概略斜視図であって、主に、回転軸３４、巻取り軸３６および位置決め手段３８から成る位置決め装置３２を備えている。なお、１２、１４は、各々第１および第２のガイドローラである。
【００１２】
回転軸３４は、一端が片持ち支持された状態で突設され、他端は開放端となっており、軸方向Ｗには、セット位置目盛り４０および巻取り軸３６の係止・回転防止用の溝４２が設けられている。前記セット位置目盛り４０は、印字媒体Ｌの幅に対応した「目盛り」であって、根本側から開放端に向けた軸方向Ｗに沿って目盛りが小さくなるように設定されている。
【００１３】
巻取り軸３６は、主に、第１の幅規制板４４、印字媒体Ｌの被係止部としての溝４８および固定ネジ５２を備えている。なお、５０は、図示しない巻芯の係止用の板バネである。
【００１４】
第１の幅規制板４４は一端に固設されており、他端は開放端となっている。また、被係止部としての溝４８は、巻取り軸３６の外周面の軸方向Ｗに沿って設けられている。
【００１５】
また、巻取り軸３６は、前記回転軸３４に開放端側から嵌装して回転軸３４の軸方向Ｗに沿って摺動可能となっており、第１の幅規制板４４が回転軸３４の根本側にくるように装着する。この巻取り軸３６は、固定ネジ５２を締め付けると固定ネジ５２の先端が前記巻取り軸３４の溝４２に係合して固定されるようになっている。
【００１６】
位置決め手段３８は、第２の幅規制板５４、嵌合リング部５６および係止部としての押え舌片５８から形成されている。幅規制板５４には、前記巻取り軸３６よりやや大きめの径の穴があけられており、片面にこの穴とほぼ同じ径の嵌合リング部５６が固定されている。嵌合リング部５６は、リング状の一部にスリット６０が形成されており、リングの径が多少伸縮するようになっている。係止部としての押え舌片５８は、板バネ状を呈して幅規制板５４より突出して設けられ、前記巻取り軸３６側に弾性付勢力を与えるためのものであって、印字媒体Ｌを巻取る際の押えに使用する。そして、幅規制板５４が回転軸３４の根本側となるよう嵌合リング部５６を前記巻取り軸３６に装着し、かつ、押え舌片５８を前記巻取り軸３６の被係止部としての溝４８に係合して巻取り軸３６の軸方向Ｗに沿って摺動できるようになっている。
【００１７】
こうした構成の巻取り機３０において、プリンタ６から排出された印字媒体Ｌを巻取る際、巻取り軸３６を回転軸３４に沿って摺動しセット位置目盛り４０の適宜位置、すなわち、印字媒体Ｌの幅に対応した目盛り位置に位置決めし、固定ネジ５２にて固定すると、巻取り軸３６の第１の幅規制板４４がプリンタ６の中央部位から排出される印字媒体Ｌの一方の側端部の位置に位置決めされる。より具体的には、プリンタ６の軸方向Ｗの図示しない中心線に対応した巻取り機３０の回転軸３４における対応位置（プリンタ６の中心線に対応する仮の中心線）から、印字媒体Ｌの幅のほぼ１／２の距離分、回転軸３４の根本側に離れた位置に位置決めされる。
【００１８】
そして、位置決めされた第１の幅規制板４４へ向けてプリンタ６から印字媒体Ｌを引き出し、印字媒体Ｌの一方の側端部を幅規制板４４に当接する。
【００１９】
次に、巻取り軸３６に印字媒体Ｌを直接巻取る場合、図３及び図４に示すように、巻取り軸３６の開放端側より位置決め手段３８の嵌合リング部５６を第２の幅規制板５４が内側となるように嵌装し、巻取り軸３６に沿って摺動して第２の幅規制板５４を印字媒体Ｌに当接する。このとき、位置決め手段３８の押え舌片５８が巻取り軸３６の溝４８に係合して印字媒体Ｌを外側より押えるようになっている。
【００２０】
このように、押え舌片５８が形成された位置決め手段３８を溝４８に沿って摺動させるだけで、印字媒体Ｌを巻取り軸３６側へ付勢・係止して装着できるので、装着が簡単なものであり、更に、巻取り軸３６の溝４８と、この溝４８に納まった状態で係合した押え舌片５８とによって印字媒体Ｌを挟持するので、押え舌片５８は邪魔とならず、かつ、印字媒体Ｌの保持力が強固になるものである。
【００２１】
なお、巻取り軸３６の外周面に形成した被係止部としては、溝４８を例に説明したがこれに限定されないことは勿論であり、穴であっても可能である。
【００２２】
【発明の効果】
以上説明したように、本発明に係る印字媒体の巻取り機は、開放端を備えた回転軸と、外周面の一部に被係止部が形成され、かつ、回転軸に開放端側から嵌装して固定する巻取り軸と、第２の幅規制板、嵌合リング部および係止部が形成され、上記巻取り軸の他端側に嵌合リング部を嵌合して巻取られる印字媒体の位置を前記第２の幅規制板にて規制する位置決め手段と、を備え、前記印字媒体の巻き始めの端部を上記被係止部および上記係止部にて係止するので、巻取り軸に位置決め手段を嵌合するだけで印字媒体が被係止部と係止部により係止されるため、装着が簡単、かつ、強固であるという効果がある。
【図面の簡単な説明】
【図１】本発明の実施の形態による巻取り機の概略斜視図
【図２】同、回転軸への巻取り軸の装着状態を説明する概略斜視図
【図３】同、巻取り軸への印字媒体の装着状態を説明する概略斜視図
【図４】同、図３中、矢示ＩＶ方向から見た概略側面図
【図５】同、図４中、矢示Ｖ方向から見た概略平面図
【図６】従来の巻取り機を示す概略斜視図
【図７】同、印字媒体を装着する際の巻取り軸とラベル押え部材との関係を説明する概略斜視図
【図８】同、印字媒体を取り外した状態を説明する概略斜視図
【符号の説明】
Ｌ  印字媒体（ラベル連続体）
Ｗ  軸方向
Ｆ  印字媒体Ｌの排出方向
２  巻取り機（従来）
４  取付け固定プレート
６  プリンタ（ラベルプリンタ）
８  巻取り軸
１０  ラベル押え部材
１２  第１のガイドローラ
１４  第２のガイドローラ
１６  第３のガイドローラ
１８  幅規制板
２０  止着用の溝
２１  係合穴
２２  止着部材
２４  幅規制板
３０  巻取り機（本発明の実施の形態）
３２  位置決め装置
３４  回転軸
３６  巻取り軸
３８  位置決め手段
４０  セット位置目盛り
４２  溝
４４  第１の幅規制板
４８  被係止部（溝）
５０  係止部材（板バネ）
５２  固定ネジ
５４  第２の幅規制板
５６  嵌合リング部
５８  係止部（押え舌片）
６０  スリット
【図１】
0003850115.tif 000002
【図２】
0003850115.tif 000003
【図３】
0003850115.tif 000004
【図４】
0003850115.tif 000005
【図５】
0003850115.tif 000006
【図６】
0003850115.tif 000007
【図７】
0003850115.tif 000008
【図８】
0003850115.tif 000009